(57)【要約】【課題】アンテナ素子間の結合を効果的に分離し、より広い周波数帯域をカバーすることが可能な小型のアンテナ装置を実現すること。【解決手段】誘電体基板上に形成されたグラウンド導体と、前記グラウンド導体の周囲に配置された逆Ｆ形状の第１及び第２給電素子と、前記第１給電素子と前記第２給電素子との間に形成され、開放端の向きが互いに異なる逆Ｌ形状の第１及び第２結合素子と、を備える、アンテナ装置が提供される。【選択図】図５
2013093645.tif 000002
【特許請求の範囲】
【請求項１】
誘電体基板上に形成されたグラウンド導体と、
前記グラウンド導体の周囲に配置された逆Ｆ形状の第１及び第２給電素子と、
前記第１給電素子と前記第２給電素子との間に形成され、開放端の向きが互いに異なる逆Ｌ形状の第１及び第２結合素子と、
を備える
ことを特徴とする、アンテナ装置。
【請求項２】
前記第１給電素子の開放端の向きと前記第１結合素子の開放端の向きとが等しく、
前記第２給電素子の開放端の向きと前記第２結合素子の開放端の向きとが等しい
ことを特徴とする、請求項１に記載のアンテナ装置。
【請求項３】
前記第１結合素子は、前記第２給電素子よりも前記第１給電素子の近くに配置される
ことを特徴とする、請求項２に記載のアンテナ装置。
【請求項４】
前記グラウンド導体は矩形であり、
前記第１給電素子は、前記グラウンド導体の一角部に接続する一辺に設置され、
前記第１結合素子は、前記第１給電素子と同じ辺に設置され、
前記第２給電素子は、前記グラウンド導体の一角部に接続する他辺に設置され、
前記第２結合素子は、前記第２給電素子と同じ辺に設置される
ことを特徴とする、請求項３に記載のアンテナ装置。
【請求項５】
前記第１給電素子、前記第１結合素子、前記第２結合素子、前記第２給電素子の順に並べて配置された素子群が前記グラウンド導体の周囲に複数設けられ、
異なる素子群に属する給電素子間の間隔は、同じ素子群に属する給電素子間の間隔よりも大きい
ことを特徴とする、請求項１〜３のいずれか１項に記載のアンテナ装置。
【請求項６】
隣り合う素子群の間に形成され、開放端の向きが互いに異なる逆Ｌ形状の第３及び第４結合素子をさらに備える
ことを特徴とする、請求項５に記載のアンテナ装置。
【請求項７】
隣り合う素子群の間に形成され、開放端の向きが互いに異なるＴ形状の第５結合素子をさらに備える
ことを特徴とする、請求項５に記載のアンテナ装置。
【請求項８】
前記グラウンド導体は矩形であり、
前記各素子群は、前記グラウンド導体の各角部に対応し、
前記第１給電素子は、前記グラウンド導体の一角部に接続する一辺に設置され、
前記第１結合素子は、前記第１給電素子と同じ辺に設置され、
前記第２給電素子は、前記グラウンド導体の一角部に接続する他辺に設置され、
前記第２結合素子は、前記第２給電素子と同じ辺に設置される
ことを特徴とする、請求項５〜７のいずれか１項に記載のアンテナ装置。
【請求項９】
請求項１〜８のいずれか１項に記載のアンテナ装置を搭載した
ことを特徴とする、無線通信装置。
【発明の詳細な説明】
【技術分野】
【０００１】
本発明は、アンテナ装置、及び無線通信装置に関する。
【背景技術】
【０００２】
近年、移動体通信用基地局には、通信容量を増大するためにＭＩＭＯ（Ｍｕｌｔｉｐｌｅ  Ｉｎｐｕｔ  Ｍｕｐｔｉｐｌｅ  Ｏｕｔｐｕｔ）機能が求められている。ＭＩＭＯ機能は、複数のアンテナ素子を独立して動作させることで実現される。そのため、アンテナ素子間の結合は小さい方が好ましい。アンテナ素子間の結合を分離する技術に関し、例えば、下記の特許文献１には、線対称に一対のアンテナ素子を設け、対称軸に平行となるように一対のスリットをグラウンド導体に形成することで、アンテナ素子間の結合を分離する仕組みが開示されている。また、下記の特許文献２には、長さが約λ／４の２つのＰＩＦＡ（Ｐｌａｎａｒ  Ｉｎｖｅｒｔｅｄ−Ｆ  Ａｎｔｅｎｎａ）間に長さが約λ／４のＴ字形状の結合素子を配置してアンテナ間の結合を分離する技術が開示されている。
【先行技術文献】
【特許文献】
【０００３】
【特許文献１】特開２０１０−１５３９７３号公報
【特許文献２】米国特許公報２０１０／００５３０２２
【発明の概要】
【発明が解決しようとする課題】
【０００４】
しかしながら、上記文献に記載のアンテナ装置の場合、利用可能な周波数帯域が狭いという問題がある。また、上記の特許文献２に記載のアンテナ装置はＴ字形状の結合素子に流れる逆位相の電流を利用しているため、アンテナ装置の高さが高くなってしまうという問題がある。そこで、本発明は、上記問題に鑑みてなされたものであり、本発明の目的とするところは、アンテナ素子間の結合を効果的に分離し、より広い周波数帯域をカバーすることが可能な小型のアンテナ装置、及びこれを搭載した無線通信装置を提供することにある。
【課題を解決するための手段】
【０００５】
上記課題を解決するために、本発明のある観点によれば、誘電体基板上に形成されたグラウンド導体と、前記グラウンド導体の周囲に配置された逆Ｆ形状の第１及び第２給電素子と、前記第１給電素子と前記第２給電素子との間に形成され、開放端の向きが互いに異なる逆Ｌ形状の第１及び第２結合素子と、を備える、アンテナ装置が提供される。
【０００６】
かかる構成により、第１及び第２結合素子によってアンテナ素子を構成する第１及び第２給電素子間の結合が効果的に分離され、広帯域化が実現される。また、第１及び第２結合素子の形状を逆Ｌ形状としているため、アンテナ装置の小型化が実現される。さらに、第１及び第２結合素子の開放端の向きが互いに異なるため、一方の結合素子が第１給電素子と強く結合し、他方の結合素子が第２給電素子と強く結合することになり、より効果的に給電素子間の結合を分離することが可能になる。
【０００７】
また、上記のアンテナ装置は、前記第１給電素子の開放端の向きと前記第１結合素子の開放端の向きとが等しく、かつ、前記第２給電素子の開放端の向きと前記第２結合素子の開放端の向きとが等しくなるように構成されていてもよい。この場合、第１給電素子と第１結合素子とが強く結合し、第２給電素子と第２結合素子とが強く結合することになる。
【０００８】
また、前記第１結合素子は、前記第２給電素子よりも前記第１給電素子の近くに配置されていてもよい。この場合、近くに配置された第１結合素子に第１給電素子が強く結合し、同様に、近くに配置された第２結合素子に第２給電素子が強く結合することとなるため、給電素子間の結合がより効果的に分離される。
【０００９】
また、前記グラウンド導体は矩形であってもよい。さらに、前記第１給電素子は、前記グラウンド導体の一角部に接続する一辺に設置されていてもよい。そして、前記第１結合素子は、前記第１給電素子と同じ辺に設置されていてもよい。同様に、前記第２給電素子は、前記グラウンド導体の一角部に接続する他辺に設置されていてもよい。また、前記第２結合素子は、前記第２給電素子と同じ辺に設置されていてもよい。かかる構成により、同じ辺に設置された給電素子と結合素子とが効果的に結合することで、異なる辺に配置された給電素子間の結合が効果的に分離される。
【００１０】
また、上記のアンテナ装置は、前記第１給電素子、前記第１結合素子、前記第２結合素子、前記第２給電素子の順に並べて配置された素子群が前記グラウンド導体の周囲に複数設けられた構成であってもよい。この場合、異なる素子群に属する給電素子間の間隔は、同じ素子群に属する給電素子間の間隔よりも大きく設定される。かかる構成によると、各素子群において給電素子間の結合が効果的に分離され、一方で、異なる素子群の間における結合が小さく抑えられるため、広い帯域特性を大きく損なわずに、多数のアンテナ素子（第１及び第２給電素子）を配置することが可能になる。
【００１１】
また、上記のアンテナ装置は、隣り合う素子群の間に形成され、開放端の向きが互いに異なる逆Ｌ形状の第３及び第４結合素子を備えていてもよい。かかる構成により、隣り合う素子群に属する給電素子間の結合が効果的に分離されるため、広い帯域特性を維持しつつ、素子群の間隔を狭くすることが可能になる。その結果、アンテナ装置をさらに小型化することが可能になる。
【００１２】
また、上記のアンテナ装置は、隣り合う素子群の間に形成され、開放端の向きが互いに異なるＴ形状の第５結合素子を備えていてもよい。かかる構成により、隣り合う素子群に属する給電素子間の結合が効果的に分離されるため、広い帯域特性を維持しつつ、素子群の間隔を狭くすることが可能になる。その結果、アンテナ装置をさらに小型化することが可能になる。
【００１３】
また、前記グラウンド導体は矩形であってもよい。さらに、前記各素子群は、前記グラウンド導体の各角部に対応して配置されていてもよい。また、前記第１給電素子は、前記グラウンド導体の一角部に接続する一辺に設置されていてもよい。そして、前記第１結合素子は、前記第１給電素子と同じ辺に設置されていてもよい。また、前記第２給電素子は、前記グラウンド導体の一角部に接続する他辺に設置されていてもよい。さらに、前記第２結合素子は、前記第２給電素子と同じ辺に設置されていてもよい。かかる構成により、グラウンド導体の同じ辺に配置された素子群間の結合が、素子群間に配置された結合素子により効果的に分離されるため、より良好な帯域特性が得られる。
【００１４】
また、上記課題を解決するために、本発明の別の観点によれば、上記のアンテナ装置を搭載した無線通信装置が提供される。かかる構成により、広い周波数帯域に対応する小型の無線通信装置が実現される。
【発明の効果】
【００１５】
以上説明したように本発明によれば、アンテナ素子間の結合を効果的に分離し、より広い周波数帯域をカバーすることが可能な小型のアンテナ装置、及びこれを搭載した無線通信装置を提供することができる。
【図面の簡単な説明】
【００１６】
【図１】複数の逆Ｆ型アンテナを搭載したアンテナ装置の構成例を示した説明図である。
【図２】図１に示したアンテナ装置の電流分布を示した説明図である。
【図３】図１に示したアンテナ装置のＶＳＷＲ特性を示した説明図である。
【図４】図１に示したアンテナ装置の通過特性を示した説明図である。
【図５】本発明の第１実施形態に係るアンテナ装置の構成例を示した説明図である。
【図６】図５に示したアンテナ装置の電流分布を示した説明図である。
【図７】図５に示したアンテナ装置のＶＳＷＲ特性を示した説明図である。
【図８】図５に示したアンテナ装置の通過特性を示した説明図である。
【図９】図５に示したアンテナ装置の変形例を示した説明図である。
【図１０】本発明の第２実施形態に係るアンテナ装置の構成例を示した説明図である。
【図１１】図１０に示したアンテナ装置のアンテナ特性を示した説明図である。
【図１２】図１０に示したアンテナ装置の変形例（変形例１）を示した説明図である。
【図１３】図１２に示したアンテナ装置のアンテナ特性を示した説明図である。
【図１４】図１２に示したアンテナ装置の変形例（変形例２）を示した説明図である。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
［説明の流れについて］
ここで、以下に記載する本発明の実施形態に関する説明の流れについて簡単に述べる。まず、図１〜図４を参照しながら、逆Ｆ形状のアンテナ素子を複数搭載したアンテナ装置１０の構成例及びその特性について紹介する。次いで、図５〜図８を参照しながら、本発明の第１実施形態に係るアンテナ装置１００の構成及びその特性について説明する。また、図９を参照しながら、同実施形態の一変形例について説明する。次いで、図１０及び図１１を参照しながら、本発明の第２実施形態に係るアンテナ装置２００の構成及びその特性について説明する。また、図１２〜図１４を参照しながら、同実施形態の変形例及びその特性について説明する。
【００１９】
＜１：従来例＞
まず、図１〜図４を参照しながら、逆Ｆ形状のアンテナ素子を複数搭載したアンテナ装置１０の構成例及びその特性について紹介する。
【００２０】
図１に示すように、アンテナ装置１０は、主に、誘電体基板１１（ＰＣＢ；Ｐｒｉｎｔｅｄ  Ｃｉｒｃｕｉｔ  Ｂｏａｒｄ）と、グラウンド導体１２と、給電素子２１、３１とにより構成される。グラウンド導体１２は、矩形状であり、誘電体基板１１上に積層配置される。また、給電素子２１、３１は、グラウンド導体１２の周囲に形成され、それぞれグラウンド導体１２の異なる辺に接続される。
【００２１】
また、給電素子２１は、１本の長辺部分と、長辺部分に略直角な２本の短辺部分とで形成される逆Ｆ形状を有し、長辺部分の端部に接続された短辺部分はグラウンド導体１２に直接接続され、長辺部分の中間部に接続された短辺部分は給電点２２を介してグラウンド導体１２に接続される。同様に、給電素子３１は、１本の長辺部分と、長辺部分に略直角な２本の短辺部分とで形成される逆Ｆ形状を有し、長辺部分の端部に接続された短辺部分はグラウンド導体１２に直接接続され、長辺部分の中間部に接続された短辺部分は給電点３２を介してグラウンド導体１２に接続される。なお、給電素子２１、３１を形成する長辺部分の開放端は、給電素子２１、３１が接続されるグラウンド導体１２の２辺が接続する角部と反対の方向に向けられる。
【００２２】
給電点２２に電流を流すと、グラウンド導体１２及び給電素子２１、３１には、図２に示すような電流分布（図２では色が薄いほど電流量が大きい。）が生じる。図２から、給電素子２１、３１の両方に大きな電流の流れが生じていることが分かる。図３に示すように、給電素子２１、３１のＶＳＷＲ（Ｖｏｌｔａｇｅ  Ｓｔａｎｄｉｎｇ  Ｗａｖｅ  Ｒａｔｉｏ）の最小値が２．６ＧＨｚ近辺（共振周波数）にくるように設定した場合、給電素子２１（端子１）から給電素子３１（端子２）への通過特性（Ｓパラメータ；Ｓ２１）は、図４のようになる。図４に示すように、給電素子２１、３１が十分近い位置に配置されると、共振周波数における挿入損失が非常に大きくなり、給電素子２１、３１間の結合が顕著になる。
【００２３】
そこで、本件発明者は、アンテナ素子間の結合を抑圧することが可能なアンテナ装置（後述するアンテナ装置１００、２００）の構成を考案した。以下、この構成について詳細に説明する。
【００２４】
＜２：第１実施形態＞
本発明の第１実施形態について説明する。
【００２５】
［２−１：基本構成］
まず、図５〜図８を参照しながら、本実施形態に係るアンテナ装置１００の構成例及びその特性について説明する。図５は、アンテナ装置１００の構成例を示した説明図である。図６は、アンテナ装置１００の電流分布を示した説明図である。図７は、アンテナ装置１００のＶＳＷＲ特性を示した説明図である。図８は、アンテナ装置１００の通過特性を示した説明図である。
【００２６】
図５に示すように、アンテナ装置１００は、主に、誘電体基板１０１（ＰＣＢ）と、グラウンド導体１０２と、給電素子１１１、１２１と、結合素子１１３、１２３とにより構成される。グラウンド導体１０２は、矩形状であり、誘電体基板１０１上に積層配置される。また、給電素子１１１、１２１は、逆Ｆ形状であり、グラウンド導体１０２の周囲に形成され、それぞれ異なるグラウンド導体１０２の辺に接続される。なお、給電素子１１１は、給電点１１２を介してグラウンド導体１０２に接続される。また、給電素子１２１は、給電点１２２を介してグラウンド導体１０２に接続される。
【００２７】
また、結合素子１１３、１２３は、逆Ｌ形状であり、グラウンド導体１０２の周囲に形成され、それぞれ異なるグラウンド導体１０２の辺に接続される。但し、結合素子１１３は、給電素子１１１が接続されたグラウンド導体１０２の辺と同じ辺に接続され、その開口端の向きが給電素子１１１の開口端と同じ向きになるように配置される。さらに、結合素子１１３の長さａ＋ｂは、約λ／４（λは波長）に設定される。なお、結合素子１１３の高さｂは、給電素子１１１と同程度の高さに設定されていることが好ましい。
【００２８】
一方、結合素子１２３は、給電素子１２１が接続されたグラウンド導体１０２の辺と同じ辺に接続され、その開口端の向きが給電素子１２１の開口端と同じ向きになるように配置される。また、結合素子１２３の長さは、約λ／４（λは波長）に設定される。なお、結合素子１２３の高さは、給電素子１２１と同程度の高さに設定されていることが好ましい。
【００２９】
給電点１１２に電流を流すと、グラウンド導体１０２、給電素子１１１、１２１、及び結合素子１１３、１２３には、図６に示すような電流分布（図６では色が薄いほど電流量が大きい。）が生じる。図６から、給電素子１１１、結合素子１１３には大きな電流の流れが生じている一方で、給電素子１２１には僅かな電流の流れしか生じていないことが分かる。これは、給電素子１１１と結合素子１１３とが結合して電流分布が結合素子１１３に偏ったために、給電素子１１１、１２１間の結合が分離されたことを示している。
【００３０】
図７に示すように、給電素子１１１、１２１のＶＳＷＲの最小値が２．６ＧＨｚ近辺（共振周波数）にくるように設定した場合、給電素子１１１（端子１）から給電素子１２１（端子２）への通過特性（Ｓパラメータ；Ｓ２１）は、図８のようになる。図８に示すように、給電素子１１１、１２１間の通過特性は、共振周波数付近で大きく落ち込んでおり、給電素子１１１、１２１間の結合が大きく抑圧されていることが分かる。一般に、給電素子１１１、１２１間の間隔が短くなると、通過特性を示すＳパラメータの値は大きくなる。しかし、図５に示すような逆Ｌ形状の結合素子１１３、１２３を配置することにより、図８に示すように、給電素子１１１、１２１間の結合を抑圧することが可能になる。その結果、広帯域化が実現される。
【００３１】
以上、本実施形態に係るアンテナ装置１００の構成例及びその特性について説明した。
【００３２】
［２−２：変形例］
次に、図９を参照しながら、本実施形態に係るアンテナ装置１００の一変形例を紹介する。図５に示したアンテナ装置１００においては、逆Ｆ形状の給電素子１１１の向きと逆Ｌ形状の結合素子１１３の向きとが同じになるように各素子が配置されていた。さらに、逆Ｆ形状の給電素子１２１の向きと逆Ｌ形状の結合素子１２３の向きとが同じになるように各素子が配置されていた。
【００３３】
しかし、図９に示すように、結合素子１１３に代えて、逆Ｆ形状の給電素子１１１の開放端と逆方向に開放端が向く逆Ｌ形状の結合素子１３３を設ける構成に変形してもよい。同様に、結合素子１２３に代えて、逆Ｆ形状の給電素子１２１の開放端と逆方向に開放端が向く逆Ｌ形状の結合素子１４３を設ける構成に変形してもよい。このように変形しても、結合素子１３３、１４３に電流分布が偏るため、給電素子１１１、１２１間の結合が抑圧される。
【００３４】
以上、本実施形態に係るアンテナ装置１００の一変形例を紹介した。
【００３５】
以上、本発明の第１実施形態について説明した。
【００３６】
＜３：第２実施形態＞
次に、本発明の第２実施形態について説明する。上記の第１実施形態においては、アンテナ装置１００を構成する矩形のグラウンド導体１０２の角部に給電素子１１１、１２１及び結合素子１１３、１２３を設ける構成について説明した。本実施形態においては、上記の第１実施形態に係るアンテナ装置１００の構成を拡張し、複数の角部にアンテナ素子を設ける構成について説明する。
【００３７】
［３−１：基本構成］
まず、図１０及び図１１を参照しながら、本実施形態に係るアンテナ装置２００の構成例及びその特性について説明する。図１０は、アンテナ装置２００の構成例を示した説明図である。図１１は、アンテナ装置２００の通過特性を示した説明図である。
【００３８】
図１０に示すように、アンテナ装置２００は、主に、誘電体基板２０１（ＰＣＢ）と、グラウンド導体２０２と、給電素子２１１、２２１、２３１、２４１と、結合素子２１３、２２３、２３３、２４３とにより構成される。グラウンド導体２０２は、矩形状であり、誘電体基板２０１上に積層配置される。また、給電素子２１１、２２１、２３１、２４１は、逆Ｆ形状であり、グラウンド導体２０２の周囲に形成される。なお、給電素子２１１は、給電点２１２を介してグラウンド導体２０２に接続される。給電素子２２１は給電点２２２を介してグラウンド導体２０２に接続され、給電素子２３１は給電点２３２を介してグラウンド導体２０２に接続され、給電素子２４１は給電点２４２を介してグラウンド導体２０２に接続される。
【００３９】
また、結合素子２１３、２２３、２３３、２４３は、逆Ｌ形状であり、グラウンド導体２０２の周囲に形成される。但し、結合素子２１３は、給電素子２１１が接続されたグラウンド導体２０２の辺と同じ辺に接続され、その開口端の向きが給電素子２１１の開口端と同じ向きになるように配置される。さらに、結合素子２１３の長さは、約λ／４（λは波長）に設定される。また、結合素子２２３は、給電素子２２１が接続されたグラウンド導体２０２の辺と同じ辺に接続され、その開口端の向きが給電素子２２１の開口端と同じ向きになるように配置される。さらに、結合素子２２３の長さは、約λ／４（λは波長）に設定される。
【００４０】
また、結合素子２３３は、給電素子２２１、２３１が接続されたグラウンド導体２０２の辺と同じ辺に接続され、その開口端の向きが給電素子２３１の開口端と同じ向きになるように配置される。さらに、結合素子２３３の長さは、約λ／４（λは波長）に設定される。また、結合素子２４３は、給電素子２４１が接続されたグラウンド導体２０２の辺と同じ辺に接続され、その開口端の向きが給電素子２４１の開口端と同じ向きになるように配置される。さらに、結合素子２４３の長さは、約λ／４（λは波長）に設定される。
【００４１】
給電素子２１１を端子１、給電素子２２１を端子２、給電素子２３１を端子３、給電素子２４１を端子４とした場合、端子２から端子１への通過特性Ｓ（１，２）、端子３から端子１への通過特性Ｓ（１，３）、端子４から端子１への通過特性Ｓ（１，４）、端子３から端子２への通過特性Ｓ（２，３）は、図１１のようになる。但し、共振周波数は２．６ＧＨｚ付近に設定されている。図１１に示すように、端子２から端子１への通過特性Ｓ（１，２）は、共振周波数付近で小さくなる。これは、給電素子２１１と給電素子２２１との間に設けられた結合素子２１３、２２３による効果である。
【００４２】
しかし、図１１に符号Ａで示した端子４から端子１への通過特性Ｓ（１，４）及び端子３から端子２への通過特性Ｓ（２，３）は、共振周波数付近で大きくなっている。給電素子２１１、２２１及び結合素子２１３、２２３で構成される第１のアンテナ素子群と、給電素子２３１、２４１及び結合素子２３３、２４３で構成される第２のアンテナ素子群とが十分に離れて配置されていれば、共振周波数付近における通過特性Ｓ（１，４）及びＳ（２，３）も許容可能な程度の大きさになるが、アンテナ素子群間の距離が短いと、図１１に示すように、これらの間で生じる結合の影響が顕著に現れてしまう。そこで、本件発明者は、図１２に示すようなアンテナ装置２００の変形例を考案した。
【００４３】
［３−２：変形例１］
図１２に示すように、本実施形態の一変形例（以下、変形例１）に係るアンテナ装置２００は、給電素子２２１、２３１間に結合素子２５１、２５２を有する。結合素子２５１は、長さが約λ／４の逆Ｌ形状であり、給電素子２２１、２３１と同じグラウンド導体２０２の辺に接続され、その開放端の向きが給電素子２３１の開放端と同じ向きに配置されている。一方、結合素子２５２は、長さが約λ／４の逆Ｌ形状であり、給電素子２２１、２３１と同じグラウンド導体２０２の辺に接続され、その開放端の向きが給電素子２２１の開放端と同じ向きに配置されている。また、結合素子２５１は結合素子２５２よりも給電素子２２１の近くに配置され、結合素子２５２は結合素子２５１よりも給電素子２３１の近くに配置されている。
【００４４】
結合素子２５１、２５２を設けると、アンテナ装置２００の通過特性は、図１３のようになる。図１３に示すように、結合素子２５１、２５２を設けたことで、符号Ａで示した通過特性Ｓ（１，４）及びＳ（２，３）が共振周波数付近で大きく抑圧されている。図１１の例ではＳ（１，４）＝−９ｄＢ及びＳ（２，３）＝−７ｄＢであったが、図１３の例では同じ周波数においてＳ（１，４）＝−１３ｄＢ及びＳ（２，３）＝−１２ｄＢまで抑制されている。つまり、結合素子２５１、２５２を設けたことで、給電素子２１１、２４１間の結合及び給電素子２２１、２３１間の結合が抑圧されたことになる。また、図１３から、給電素子２１１、２２１間の結合及び給電素子２３１、２４１間の結合も大きく抑圧されていることが分かる。
【００４５】
このように、第１のアンテナ素子群と第２のアンテナ素子群との間に結合素子２５１、２５２を設けることで、アンテナ素子群間の結合を抑圧することが可能になり、広帯域化を実現することが可能になる。また、図１０及び図１２の例では、グラウンド導体２０２の２つの角部にアンテナ素子群を形成した構成例を示したが、４つの角部にアンテナ素子群を形成した構成（８アンテナ構成）に拡張することも可能である。この場合も、図１２に示した構成例と同様に、結合素子２５１、２５２と同じ結合素子をグラウンド導体２０２の各辺に設けることでアンテナ素子群間の結合を抑圧することが好ましい。このようにして結合が抑圧されることで広帯域化が実現される。また、アンテナ素子間の距離を短くできるようになり、小型化に寄与する。
【００４６】
［３−３：変形例２］
図１２の例では、アンテナ素子群間の結合を抑制するために、２つの結合素子２５１、２５２を設けたが、結合素子２５１、２５２に代えて、図１４に示すようなＴ形状の結合素子２６１を設ける構成（以下、変形例２）に変形してもよい。なお、結合素子２６１の長さは約λ／４に設定される。図１４のように結合素子２６１がＴ形状であっても、結合素子２６１へと電流分布が偏るため、アンテナ素子群間の結合が抑圧され、広帯域化が実現される。また、アンテナ素子間の距離を短くできるようになり、小型化に寄与する。
【００４７】
以上、本発明の第２実施形態について説明した。
【００４８】
＜４：効果＞
以上説明したように、ＰＣＢ上に配置したグラウンド導体の周囲に複数の逆Ｆ形状の給電素子を配置し、グランド導体周囲でＰＣＢの角付近に逆Ｌ形状の結合素子配置することにより、給電素子間の結合を低減し、かつ、給電素子と結合素子との結合により広帯域化することが可能になる。さらに、ＰＣＢの他の角付近に給電素子と結合素子とを配置した場合について、ＰＣＢの一方の角付近に配置した給電素子及び結合素子とＰＣＢの他方の角付近に配置した給電素子及び結合素子との間に結合素子を配置することにより、給電素子の数を増加した場合でも各給電素子間の結合を低減して広帯域化することが可能になる。
【００４９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。例えば、結合素子２５１、２５２の配置を逆にしたり、アンテナ素子群を配置する角部の位置を変更したりしてもよい。例えば、グラウンド導体２０２の対角線上に位置する２つの角付近にそれぞれアンテナ素子群を配置する構成などが考えられる。
【符号の説明】
【００５０】
１０、１００、２００    アンテナ装置
１１、１０１、２０１    誘電体基板
１２、１０２、２０２    グラウンド導体
２１、３１、１１１、１２１、２１１、２２１、２３１、２４１    給電素子
２２、３２、１１２、１２２、２１２、２２２、２３２、２４２    給電点
１１３、１２３、１３３、１４３、２１３、２２３、２３３、２４３、２５１、２５２、２６１    結合素子
【図１】
2013093645.tif 000003
【図３】
2013093645.tif 000004
【図４】
2013093645.tif 000005
【図５】
2013093645.tif 000006
【図７】
2013093645.tif 000007
【図８】
2013093645.tif 000008
【図９】
2013093645.tif 000009
【図１０】
2013093645.tif 000010
【図１１】
2013093645.tif 000011
【図１２】
2013093645.tif 000012
【図１３】
2013093645.tif 000013
【図１４】
2013093645.tif 000014
【図２】
2013093645.tif 000015
【図６】
2013093645.tif 000016